(57)【特許請求の範囲】
【請求項１】
密封されたハウジング内で既設管の一部を切断除去した後この切断除去された部位に、流路を開閉自在な弁体を備えた制御弁を不断水状態で接続するとともに、前記弁体と前記既設管の上流側切断端部との間に流路を形成する接続用の管体部と弁体と既設管の下流側切断端部との間に流路を形成する接続用の管体部の各々に、弁体バイパス用のバイパス管の両端に接続されるバイパス流路開閉用の仕切弁の各々に対する接続管部を既設管内の流路に連通する状態で形成してある流体制御弁装置のバイパス構造であって、
前記ハウジングが撤去されたのちに前記接続管部の各々に接続される前記仕切弁の内部流路を通じて外部に抜き出し可能な仮止水用の盲栓を、各接続管部内に脱着自在に設けてある流体制御弁装置のバイパス構造。
【請求項２】
前記接続管部の各々が、前記管体部の底部側に形成されている請求項１記載の流体制御弁装置のバイパス構造。
【請求項３】
前記接続管部の各々が、前記制御弁の外面側の管径方向での最大突出部のうち、水平方向両側での最大突出部の各々を通る両鉛直方向の線分で囲まれた範囲内に配置されている請求項２記載の流体制御弁装置のバイパス構造。
【請求項４】
前記接続管部を備えた管体部が、それの接続管部が前記制御弁の既設管の切断端部に対する取付管部と該既設管の切断端部との間の隙間を通じて既設管内の流路に連通する状態で、取付管部と切断端部とに亘って密封状態で外嵌固定される継輪である請求項１、２又は３記載の流体制御弁装置のバイパス構造。
【発明の詳細な説明】
【０００１】
【発明の属する技術分野】
本発明は、密封されたハウジング内で水道管等の既設管の一部を切断除去した後この切断除去された部位に、流路を開閉自在な弁体を備えた制御弁を不断水状態で接続するとともに、前記弁体と前記既設管の上流側切断端部との間に流路を形成する接続用の管体部と弁体と既設管の下流側切断端部との間に流路を形成する接続用の管体部の各々に、仕切弁によって開閉されるバイパス管に対する接続管部を連通形成してある流体制御弁装置のバイパス構造に関する。
【０００２】
【従来の技術】
この種の流体制御弁装置のバイパス構造では、既設管に接続された制御弁の弁体よりも上流側及び下流側にそれぞれ位置する接続管部に亘って、仕切弁を備えたバイパス管を接続することにより、前記制御弁の弁体を閉弁状態から開弁状態に操作する前に、前記バイパス管の仕切弁を開き操作して、前記弁体の上流側と下流側との圧力差を減少することができるから、制御弁の弁体を小さな操作力でスムースに開弁作動させることができる利点がある。
そして、このような利点を有する流体制御弁装置のバイパス構造において、従来では、図１５に示すように、前記接続管部７の各々を、前記制御弁３の外面側の管径方向での最大突出部のうち、水平方向両側での最大突出部の各々を通る両鉛直方向の線分Ｙ１，Ｙ２のうちの一方の線分Ｙ２よりも横外方に突出形成するとともに、前記ハウジング２を撤去した際の接続管部７からの出水を止めるために、各接続管部７の先端に前記仕切弁５を予め接続した状態で制御弁３をハウジング２内に配置していた。
【０００３】
【発明が解決しようとする課題】
しかしながら、前記従来の流体制御弁装置のバイパス構造では、前記接続管部７が前記一方の線分Ｙ２よりも横外方に突出し、かつ、その先端に仕切弁５を接続してある関係上、前記制御弁３をハウジング２内に配置するためには、該ハウジング２の前記水平方向での内法寸法を、少なくとも、前記両線分Ｙ１，Ｙ２間の幅寸法と、前記接続管部７の一方の線分Ｙ２から突出する寸法と、仕切弁５の前記水平方向での寸法との和よりも大に形成しなければならず、これがハウジング２の前記水平方向での大型化及び重量化の要因となって、ハウジング２の製造コストの高騰化、並びに、ハウジング２を既設管１に装着するための設備の大型化を招来し、バイパス構造を備えた流体制御弁装置を既設管１の一部に不断水状態で施設するための工費が増大する間題があった。
【０００４】
そこで、前記接続管部７の各々を、前記両鉛直方向の線分Ｙ１，Ｙ２で囲まれた範囲内に配置することが考えられるが、これら線分Ｙ１，Ｙ２間の幅寸法と前記接続管部７が形成してある管体部４の外径との寸法差が小さくなればなるほど、前記仕切弁５を前記線分Ｙ１，Ｙ２に囲まれた範囲内に配置することは難しく、該仕切弁５が前記一方の線分Ｙ２よりも横外方に突出し、それがハウジング２の前記水平方向での大型化及び重量化の要因として顕在するため、未だ改善の余地がある。
【０００５】
本発明は、上記の実状に鑑みて為されたものであって、その主たる課題は、バイパス管に対する接続管部の構造を工夫することにより、バイパス構造を備えた流体制御弁装置を既設管の一部に不断水状態で施設するための工費を、従来に比して低廉化し易い流体制御弁装置のバイパス構造を提供する点にある。
【０００６】
【課題を解決するための手段】
本発明の請求項１による流体制御弁装置のバイパス構造の特徴構成は、密封されたハウジング内で既設管の一部を切断除去した後この切断除去された部位に、流路を開閉自在な弁体を備えた制御弁を不断水状態で接続するとともに、前記弁体と前記既設管の上流側切断端部との間に流路を形成する接続用の管体部と弁体と既設管の下流側切断端部との間に流路を形成する接続用の管体部の各々に、弁体バイパス用のバイパス管の両端に接続されるバイパス流路開閉用の仕切弁の各々に対する接続管部を既設管内の流路に連通する状態で形成してある流体制御弁装置のバイパス構造であって、
前記ハウジングが撤去されたのちに前記接続管部の各々に接続される前記仕切弁の内部流路を通じて外部に抜き出し可能な仮止水用の盲栓を、各接続管部内に脱着自在に設けてある点にある。
上記特徴構成によれば、前記各接続管部内に前記仮止水手段を脱着自在に設けることにより、従来のように、既設管の一部に不断水状態で流体制御弁装置を施設する際に、前記ハウジングを撤去した際の各接続管部からの出水を止めるために、接続管部の各々の先端に仕切弁を装着する必要がなくなるから、従来に比してハウジングの小型化及び軽量化を図り易くなる。
従って、前記ハウジングの製造コストの低廉化と、ハウジングを既設管に設置するための設備の小型化とを図り易くなるから、従来に比して、既設管の一部に不断水状態で流体制御弁装置を施設するための工費を低廉化し易くなる。
また、前記ハウジングを撤去したのち、両接続管部に亘ってバイパス管を接続するときには、前記各接続管部に仕切弁の一端側を接続するとともに、該各仕切弁の他端部に盲栓を接続管部内から抜き出すための治具を密封状態で固定して、該治具を操作しながら盲栓を開弁状態の仕切弁の流路を通して該治具側に抜き出し、この仕切弁を開弁状態から閉弁状態に閉じ操作したのち、治具を仕切弁から取り外すだけで、各接続管部から出水することなく、かつ、不断水状態で盲栓を接続管部内から取り出すことができ、その後は、この仕切弁を用いて従来と同様に接続管部からの出水を止めることができる。
【０００７】
本発明の請求項２による流体制御弁装置のバイパス構造の特徴構成は、前記接続管部の各々が、前記管体部の底部側に形成されている点にある。
なお、前記接続管部の各々が、前記制御弁の外面側の管径方向での最大突出部のうち、鉛直方向両側での最大突出部の各々を通る両水平方向の線分で囲まれた範囲内に配置されている構成にすれば、前記接続管部の各々が、前記制御弁の外面側の管径方向のうち、水平方向両側での最大突出部の各々を通る両鉛直方向の線分と、前記鉛直方向両側での最大突出部の各々を通る両水平方向の線分とで囲まれた範囲内に収まるから、前記ハウジングを前記水平方向及び鉛直方向の両方向にコンパクト化し易くなり、その結果、ハウジングの小型化及び軽量化を更に図り易くなるので、既設管の一部に不断水状態で流体制御弁装置を施設するための工費の低廉化を促進することができる。
【０００８】
本発明の請求項３による流体制御弁装置のバイパス構造の特徴構成は、前記接続管部の各々が、前記制御弁の外面側の管径方向での最大突出部のうち、水平方向両側での最大突出部の各々を通る両鉛直方向の線分で囲まれた範囲内に配置されている点にある。
上記特徴構成によれば、前記接続管部の各々が、前記制御弁の外面側の管径方向のうち、水平方向両側での最大突出部の各々を通る両鉛直方向の線分で囲まれた範囲内に収まるから、前記ハウジング内における前記仕切弁の収納スペースを削減できるだけでなく、前記ハウジングの前記水平方向でのコンパクト化も図り易くなり、その結果、従来に比してハウジングの小型化及び軽量化を図り易くなる。
【０００９】
本発明の請求項４による流体制御弁装置のバイパス構造の特徴構成は、前記接続管部を備えた管体部が、それの接続管部が前記制御弁の既設管の切断端部に対する取付管部と該既設管の切断端部との間の隙間を通じて既設管内の流路に連通する状態で、取付管部と切断端部とに亘って密封状態で外嵌固定される継輪である点にある。
上記特徴構成によれば、前記接続管部を、前記制御弁の取付管部と既設管の切断端部とに亘って密封状態で外嵌固定される継輪に設けても、この接続管部内の流路と既設管内の流路とは、前記制御弁の取付管部と該既設管の切断端部との間に形成される環状の隙間を利用して連通させることができるから、該接続管部と既設管内の流路と連通する専用の連通孔を設ける必要がない。
また、上記特徴構成の実施において、前記継輪を管周方向で複数に分割された分割継輪から構成すれば、前記各継輪を構成する分割継輪のうちの少なくとも一つに、前記バイパス管に対する接続管部を設けるだけで済むから、この分割継輪よりも大きく、かつ、形状が複雑な前記制御弁にバイパス管に対する接続管部を設ける場合に比して、該接続管部を設けるための設備コスト、及び、加エコストの低廉化を図ることができる。
【００１０】
【発明の実施の形態】
図１〜図７は、本発明の流体制御弁装置のバイパス構造の好ましい実施形態を示し、地中に埋設された流体輸送管（既設管）の一例である水道管１の一部、詳しくはその途中を、不断水状態（水道水の流通を維持したままの状態）を維持しながら、密封されたハウジング２内で切断除去した後、この切断除去された部位、つまり、ハウジング２内に残置された水道管１の両切断端部１Ａ間に、該両切断端部１Ａ間の流路を開閉自在な弁体３Ａを備えた制御弁の一例である止水弁３を連通接続するとともに、図７に示すように、弁体３Ａと水道管１の上流側の切断端部１Ａとの間に流路を形成する接続用の管体部４と弁体３Ａと水道管１の下流側の切断端部１Ａとの間に流路を形成する接続用の管体部４の各々に、弁体３Ａバイパス用のバイパス管６の両端に接続されるバイパス流路（つまり、弁体３Ａをバイパスする流路）開閉用の仕切弁５の各々に対する接続管部７を、水道管１内の流路に連通する状態で形成してある。
尚、前記仕切弁５は両接続管部７の各々の先端に接続されるとともに、バイパス管６は、各仕切弁５に亘って脱着自在に連通接続されている。
【００１１】
図１〜図３に示すように、前記各切断端部１Ａの端面と、該各切断端部１Ａに対する止水弁３の取付管部３Ｂの端面とは管軸芯Ｐ方向で相対向し、これら切断端部１Ａの外周面と、該切断端部１Ａに対する止水弁３の取付管部３Ｂの外周面とに亘って、該切断端部１Ａと取付管部３Ｂとを接続する継輪８が外嵌固定してある。
更に、前記継輪８の内周面と切断端部１Ａの外周面、及び、継輪８の内周面と止水弁３の取付管部３Ｂの外周面の間の各々には、継輪８の内周面と切断端部１Ａの外周面との間に形成される環状の隙間を外部に対して密封する環状の第１シール部９Ａと、継輪８の内周面と止水弁３の取付管部３Ｂの外周面との間に形成される環状の隙間を外部に対して密封する環状の第２シール部９Ｂとを備えた第１シール材９を介在してある。
【００１２】
図３に示すように、前記継輪８の管軸芯Ｐ方向両端側の各々には、環状のフランジ１０，１１が一体形成されていて、これら両フランジ１０，１１のうちの一方のフランジ１０と、止水弁３の取付管部３Ｂの外周面に一体形成してあるフランジ１２とをボルト・ナットを介して連結固定してある。
また、前記継輪８の他方のフランジ１１側の端部内周面と切断端部１Ａの外周面との間には、環状の第２シール材１３を、継輪８の内周面と切断端部１Ａの外周面との各々に密着する状態で設けてあり、この第２シール材１３を、継輪８の他方のフランジ１１にボルト・ナットを介して固着される周方向で二分割された押輪１４にて抜止め保持してある。
【００１３】
図１、図２に示すように、前記接続管部７を備えた管体部４は、前記止水弁３の弁体３Ａよりも上流側に位置する前記一方の継輪８と、弁体よりも下流側に位置する他方の継輪８とから構成してあり、更に、これら各継輪８はそれの管周方向で二つに分割された上下一対の半円状の分割継輪８Ａ，８Ｂから構成してある。
そして、前記継輪８は、二分割された分割継輪８Ａ，８Ｂの円周方向両端側の各々に形成されているフランジ１５同士を、前記第１シール材９に備えられた前記第１シール部９Ａと第２シール部９Ｂとを管軸芯Ｐ方向に沿って繋ぐリブ状の第３シール部９Ｃを挾持する状態で、ボルト・ナットを介して連結固定して構成してある。
尚、前記接続管部７内の流路と切断端部１Ａ内の流路とは、管軸芯Ｐ方向で相対向する前記止水弁３の取付管部３Ｂの端面と切断端部１Ａの端面との間に形成される環状のスリット１６と、切断端部１Ａの外周面及び止水弁３の取付管部３Ｂの外周面と、継輪８の内周面との間に形成される環状の隙間１７を介して連通する。
【００１４】
前記バイパス管６に対する接続管部７は、前記各継輪８の底部側、詳しくは、各継輪８を構成する下側分割継輪８Ｂの各々の底部側に、該分割継輪８Ｂの外周面から横外方に突出する状態で一体形成してあり、かつ、その先端には、前記仕切弁５の一端側に形成してあるフランジ１８にボルト・ナットを介して連結固定されるフランジ１９を一体形成してある。
更に、図４に示すように、前記接続管部７の各々は、止水弁３の外面側の管径方向での最大突出部のうち、水平方向両側での最大突出部の各々を通る両鉛直方向の線分Ｙ１，Ｙ２で囲まれた範囲内で、かつ、前記止水弁３の外面側の管径方向での最大突出部のうち、鉛直方向両側での最大突出部の各々を通る両水平方向の線分Ｘ１，Ｘ２で囲まれた範囲内、つまり、前記四つの線分Ｙ１，Ｙ２，Ｘ１，Ｘ２で囲まれた矩形の範囲内に配置してある。
【００１５】
図１〜図３に示すように、前記ハウジング２を撤去して両接続管部７の先端の各々に仕切弁５を接続するまでは、前記取付管部３Ｂの端面と切断端部１Ａの端面との間のスリット１６を通して、切断端部１Ａの外周面及び取付管部３Ｂの外周面と、継輪８の内周面との間に形成される隙間１７に流入した水道水が、接続管部７内の流路を通して外部に出水することを防止するために、該接続管部７内に仮止水手段２０を脱着自在に設けてある。
詳しくは、前記仮止水手段２０を、前記接続管部７の先端側を通して該接続管部７内に挿脱可能で、かっ、前記接続管部７の内周面に形成された雌ネジ部２１に螺合する雄ネジ部２２を備えた盲栓から構成してあり、この盲栓２０を接続管部７内にねじ込んで接続管部７内の流路を閉塞してある。
【００１６】
図４〜図６に示すように、前記仕切弁５の流路は、接続管部７内の盲栓２０を外部に抜き出し可能な大きさに形成してあり、前記ハウジング２を撤去して両接続管部７の先端の各々に仕切弁５を接続した状態では、前記両接続管部７内の盲栓２０は、仕切弁５の流路を通して抜き取り除去するとともに、切断端部１Ａの外周面及び取付管部３Ｂの外周面と、継輪８の内周面との間に形成される隙間１７に流入した水道水の外部への出水を、閉弁状態にある仕切弁５にて防止する。
更に、図７に示すように、前記両接続管部７の各々に接続された仕切弁５の各々を閉弁状態にしたまま、該両仕切弁５の他端同士に亘ってバイパス管６を違通接続する。
そして、前記止水弁３の弁体３Ａを閉弁状態から開弁状態に操作するときには、その前に両仕切弁５を開き操作して両切断端部１Ａ同士をバイパス管６を介して連通させ、弁体３Ａの上流側と下流側との圧力差を減少することにより、止水弁３の弁体３Ａを小さな操作カでスムースに開弁作動させることができる。
尚、前記止水弁３の弁体３Ａは、該止水弁３から上方に突出する開閉操作軸３Ｃを回転操作することにより、止水弁３の流路に対して出退移動して、閉弁状態と開弁状態とに切換操作されるものである。
【００１７】
前記ハウジング２は、図１、図２に示すように、前記止水弁３が接続される水道管１の途中の接続工事箇所を密封状態で囲繞して、水道管１の外周面との間に密封空間２３を形成するものであって、水道管１に対して着脱できるように該水道管１の周方向で複数個に分割構成してある。
図９，図１０に示すように、前記ハウジング２は、水道管１への装着状態においてその密封空間２３内に位置する水道管１の一部を切断除去するための切断装置２４を挿入する挿入口２５を備え、この挿入口２５には密封空間２３を閉止するシャッタ２６Ａが備えられたバルブ２６を装着してある。
また、前記ハウジング２には、後述するように、水道管１の各切断端部１Ａに外嵌した状態でハウジング２内に収納される前記継輪８の各々に接続され、該各継輪８を止水弁３の取付管部３Ｂ側に押し込み移動させる操作ネジ軸２７Ａを備えた一対の継輪セッタ２７を設けてある。
【００１８】
以下、不断水状態で切断端部１Ａと止水弁３とを連通接続する手順を、その工程の順に基づいて説明する。
（１）図８に示すように、地中に埋設された水道管１の接続工事箇所にハウジング２を装着するための組立空間を確保するために、この接続工事箇所周辺部分を掘削する。しかるのち、前記水道管１のうちの両切断端部１Ａ相当箇所の各々に、管周方向の一箇所で切断された、或いは、管周方向で二分割された合成ゴム製の第１シール材９を切断端部１Ａの外周面に密着する状態で外套し、かつ、それの端面同士を接着剤で接合して外嵌させる。
更に、前記継輪８を構成する分割継輪８Ａ，８Ｂの各々を管径方向外方側から切断端部１Ａに外嵌してボルト・ナットを介して接合する。
（２）図９に示すように、前記切断装置２４を水道管１の切断除去される部位に装着し、更に、この切断装置２４に、該切断装置２４を駆動させ、かつ、それをハウジング２内から抜き出すための操作軸２８を挿入口２５を挿通する状態で装着する。次に、前記各継輪セッタ２７の操作ネジ軸２７Ａの先端と継輪８の一方のフランジ１１とを接続しながら、これら継輪８を含む水道管１の接続工事箇所を密封状態で囲繞する状態にハウジング２を組立てて、該ハウジング２を水道管１に装着し、ハウジング２で囲繞された密封空間２３内に、これら両継輪８と水道管１の接続工事箇所とを収納する。しかるのち、前記シャッタ２６Ａが開放されたバルブ２６を介してハウジング２の挿入口２５に、前記切断装置２４を内装可能な大きさの止水ケース２９を脱着自在に装着するとともに、この止水ケース２９の上壁に操作軸２８の先端を摺動自在に貫通保持させる。そして、前記操作軸２８をモータ等の駆動手段（図示せず）を用いて駆動回転させ、切断装置２４により水道管１の一部を切断する。
（３）図１０に示すように、前記操作軸２８をウィンチ等の昇降手段（図示せず）を用いて止水ケース２９側に抜出し移動させ、切断装置２４及び切断除去管部１Ｂを止水ケース２９内まで引上げてシャッタ２６Ａを閉じたのち、ハウジング２から止水ケース２９を取り外して、操作軸２８に切断装置２４及び切断除去された既設管部に替えて前記止水弁３を装着し、図１１に示すように、再び、前記止水ケース２９をハウジング２に装着する。
（４）図１２に示すように、前記シャッタ２６Ａを開放して操作軸２８を前記昇降手段を用いてハウジング２側に挿入移動させ、止水弁３を、それの取付管部３Ｂとハウジング２内の切断端部１Ａとが同芯状態となる位置に配置する。
しかるのち、図１３に示すように、前記ハウジング２に設けられている両継輪セッタ２７の操作ネジ軸２７Ａを操作して、両継輪８を止水弁３の取付管部３Ｂ側に押し込み、該継輪８が切断端部１Ａの外周面と取付管部３Ｂの外周面とに跨がり、かつ、前記第１シール材９の第１シール部９Ａが、継輪８の内周面と切断端部１Ａの外周面との間に介在され、第２シール部９Ｂが、継輪８の内周面と取付管部３Ｂの外周面との間に介在される位置にまで移動する。
その状態では、前記切断端部１Ａと取付管部３Ｂとは、継輪８及び第１シール材９を介して密封した状態で仮設的に接続される。
（５）図１４に示すように、前記ハウジング２から止水ケース２９及びバルブ２６を取り外すとともに、ハウジング２を分解して水道管１から撤去し、止水弁３を掘削空間内に露出させる。その後、外部に露出する両切断端部１Ａの各々に合成ゴム製の紐状のシール部材を巻き付け、それの両端側を接着剤で接合して前記第２シール材１３を形成し、該第２シール材１３を、前記押輪１４を介して継輪８の内周面と切断端部１Ａの外周面との間に押し込み、押輪１４と継輪８の他方のフランジ１１とをボルト・ナットを介して接合して第２シール材１３の抜け出しを防止することにより、止水弁３は水道管１に本設される。
【００１９】
次に、前記水道管１に止水弁３を本設した後、前記両接続管部７に亘ってバイパス管６を連通接続する手順を、その工程の順に基づいて説明する。
（６）図４に示すように、前記バイパス管６に備えられる仕切弁５を該バイパス管６から取り外した状態で、該仕切弁５の一端側のフランジ１８を、前記各接続管部７のフランジ１９にボルト・ナットを介して連結固定し、各接続管部７に仕切弁５を接続するとともに、該各仕切弁５の他端部に、前記盲栓２０を接続管部７内から取り出すための冶具３０を密封状態で固定する。
前記治具３０は、仕切弁５の他端部に密封状態で取付けられる筒状ケース３０Ｂと、該筒状ケース３０Ｂに、シール材を介して回転自在及び接続管部７の管軸芯方向に出退移動自在に保持された操作軸３０Ａとから構成され、操作軸３０Ａの先端部には、前記盲栓２０の端面に一体形成された角軸状の被係合突部２０ａに対して盲栓２０の回転軸芯方向から係脱自在に外嵌係合する係合部３０ａを設けてあり、盲栓２０の被係合突部２０ａに操作軸３０Ａの係合部３０ａを係合させた状態では、図示しないが、被係合突部２０ａと係合部３０ａとに亘って設けられたロック機構にて、操作軸３０Ａと盲栓２０とが一体的に連結される。
尚、前記ロック機構としては、操作軸３０Ａの係合部３０ａに、それの内周面から操作軸３０Ａの軸芯に向かって弾性的に突出付勢された状態で設けられるボールと、盲栓２０の被係合突部２０ａに形成され、かつ、被係合突部２０ａに対する係合部３０ａの係合方向と直交する方向から前記ボールの突出部分が係入する凹部とから構成してあるが、この構成に限定されるものではなく、ロック機構としては、被係合突部２０ａと係合部３０ａとの係脱を許容でき、かつ、それらの係合状態を維持することができるものであるならば、その構成は適宜変更してもよい。
（７）図５に示すように、前記操作軸３０Ａの係合部３０ａを盲栓２０の被係合突部２０ａに係合させた状態で、操作軸３０Ａを回転操作して、盲栓２０を仕切弁５側に螺進させて接続管部７内から抜き出すとともに、この盲栓２０を開弁状態の仕切弁５の流路を通して治具３０の筒状ケース３０Ｂ内にまで引き出す。
（８）図６に示すように、前記仕切弁５の弁体５Ａを開弁状態から閉弁状態に閉じ操作したのち、前記治具３０の筒状ケース３０Ｂ内に盲栓２０を保持したまま該治具３０を仕切弁５から取り外す。
尚、このような盲栓２０の抜き出し工程を採用することにより、各接続管部７内からの盲栓２０の抜き出し作業と、各接続管部７に対する仕切弁５の接続作業とを、不断水状態で行うことができ、しかも、作業途中における接続管部７からの出水も防止することができる。
（９）図７に示すように、前記両接続管部７の各々の先端に接続された仕切弁５の他端側に亘ってバイパス管６を接続して、これら両接続管部７を一対の仕切弁５を介して接続する。
【００２０】
〔その他の実施形態〕
▲１▼  前記実施形態では、制御弁として止水弁３を例示して説明したが、これに限定されるものではなく、制御弁としては分岐弁であってもよい。
▲２▼  前記実施形態では、既設管として地中に埋設された水道管１を例示して説明したが、既設管としては、例えば原油を輸送するパイプラインに用いられる流体輸送管であってもよい。
▲３▼  前記実施形態では、継輪８を、管周方向で二つに分割された分割継輪から構成したが、該継輪８を、管周方向で三つ以上に分割された分割継輪から構成してもよい。
▲４▼  前記接続管部７の各々を、すくなくとも前記制御弁３の外面側の管径方向での最大突出部のうち、水平方向両側での最大突出部の各々を通る両鉛直方向の線分Ｙ１，Ｙ２で囲まれた範囲内に配置してあるならば、接続管部７は、前記各継輪８を構成する分割継輪の何れに形成してあってもよく、しかも、各接続管部７の突出方向も横外方に限定されるものではない。
▲５▼  前記実施形態では、接続管部７を備えた管体部４を、水道管１の切断端部１Ａに対する止水弁３の両取付管部３Ｂと、該水道管１の切断端部１Ａとに亘って密封状態で外嵌固定される継輪から構成したが、この構成に限定されるものではなく、例えば、止水弁３の両取付管部３Ｂの各々に接続管部７を一体形成して、この接続管部７を備えた管体部４を、前記取付管部３Ｂから構成してもよい。
【図面の簡単な説明】
【図１】切断除去された部位に止水弁を配置した状態を示す正面断面図
【図２】図１のＩＩ−ＩＩ線断面図
【図３】ハウジングを撤去した状態の平面図
【図４】接続管部に仕切弁と治具を取付けた状態の断面図
【図５】接続管部内から盲栓を抜き出した状態の要部の断面図
【図６】仕切弁を閉弁状態に切り換えた状態の要部の断面図
【図７】バイパス管を接続した状態の概略平面図
【図８】止水弁の接続工程を示し、水道管に継輪を外嵌した状態の概略図
【図９】止水弁の接続工程を示し、水道管にハウジング、止水ケース及び切断装置を装着した状態の概略図
【図１０】止水弁の接続工程を示し、水道管の一部を切断除去した状態の概略図
【図１１】止水弁の接続工程を示し、止水弁を止水ケース内に挿入した状態の概略図
【図１２】止水弁の接続工程を示し、止水弁をハウジング内に挿入した状態の概略図
【図１３】止水弁の接続工程を示し、止水弁の取付管部と切断端部とに亘って継輪を外嵌させた状態の概略図
【図１４】止水弁の接続工程を示し、水道管からハウジングを取り外して押輪を装着した状態の概略図
【図１５】従来の技術を示す断面図
【符号の説明】
Ｐ    管軸芯
Ｙ１  線分
Ｙ２  線分
Ｘ１  線分
Ｘ２  線分
１    既設管（水道管）
１Ａ  切断端部
２    ハウジング
３    制御弁（止水弁）
３Ａ  弁体
３Ｂ  取付管部
４    管体部
５    仕切弁
６    バイパス管
７    接続管部
８    継輪
８Ａ  分割継輪
８Ｂ  分割継輪
２０  仮止水手段（盲栓）
【図１】
0004079490.tif 000002
【図２】
0004079490.tif 000003
【図３】
0004079490.tif 000004
【図４】
0004079490.tif 000005
【図５】
0004079490.tif 000006
【図６】
0004079490.tif 000007
【図７】
0004079490.tif 000008
【図８】
0004079490.tif 000009
【図９】
0004079490.tif 000010
【図１０】
0004079490.tif 000011
【図１１】
0004079490.tif 000012
【図１２】
0004079490.tif 000013
【図１３】
0004079490.tif 000014
【図１４】
0004079490.tif 000015
【図１５】
0004079490.tif 000016